(57)【要約】【課題】移動位置指標装置を介さず、かつ、呼損を起こさない一斉呼出を実現する。呼出トラヒックを削減する一斉呼出を実現する。【解決手段】移動位置指標装置を登録している移動端末を呼び出す際に、呼び出された移動端末の上位階層装置群をもとに移動端末が滞在している可能性があるエリアを計算し、呼出メッセージを送信する。呼び出された移動端末が滞在する可能性のあるセルに順に呼出メッセージを送信する。【選択図】　図２
2004023162.tif 000002
【特許請求の範囲】
【請求項１】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムにおいて、
前記端末位置管理装置は、
前記移動端末が位置登録している前記移動位置指標装置がさらに位置登録している前記固定位置指標装置を検索する手段と、
前記移動端末が位置登録している一つ以上の前記移動位置指標装置のエリア半径を合計する手段と、
前記検索する手段により検索された前記固定位置指標装置の位置登録エリアの周囲から前記半径を合計する手段により合計された値に相当する距離離れたエリアに含まれる他位置登録エリアを構成するセルを検索する手段と、
このセルを検索する手段により検索されたセルおよび前記固定位置指標装置の位置登録エリアを構成するセルを前記移動端末に対する呼出セルとして決定する手段と
を備えたことを特徴とする移動通信システム。
【請求項２】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムにおいて、
前記端末位置管理装置は、
前記移動端末が位置登録している前記移動位置指標装置がさらに位置登録している前記固定位置指標装置を検索する手段と、
この検索する手段により検索された前記固定位置指標装置の位置登録エリアを構成するセルを前記移動端末に対する初回呼出セルとして決定する手段と、
当該初回呼出セルにより前記移動端末に対する呼出を行い所定時間経過しても応答が得られないときには、前記移動端末が位置登録している一つ以上の前記移動位置指標装置のエリア半径を合計する手段と、
前記固定位置指標装置の位置登録エリアの周囲から前記半径を合計する手段により合計された値に相当する距離離れたエリアに含まれる他位置登録エリアを構成するセルを検索する手段と、
このセルを検索する手段により検索されたセルおよび前記固定位置指標装置の位置登録エリアを構成するセルを前記移動端末に対する次回呼出セルとして決定する手段と
を備えたことを特徴とする移動通信システム。
【請求項３】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される位置登録方法において、
前記端末位置管理装置は、
前記移動端末が位置登録している前記移動位置指標装置がさらに位置登録している前記固定位置指標装置を検索し、
前記移動端末が位置登録している一つ以上の前記移動位置指標装置のエリア半径を合計し、
前記検索された前記固定位置指標装置の位置登録エリアの周囲から前記合計された値に相当する距離離れたエリアに含まれる他位置登録エリアを構成するセルを検索し、
この検索されたセルおよび前記固定位置指標装置の位置登録エリアを構成するセルを前記移動端末に対する呼出セルとして決定する
ことを特徴とする位置登録方法。
【請求項４】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される位置登録方法において、
前記端末位置管理装置は、
前記移動端末が位置登録している前記移動位置指標装置がさらに位置登録している前記固定位置指標装置を検索し、
この検索された前記固定位置指標装置の位置登録エリアを構成するセルを前記移動端末に対する初回呼出セルとして決定し、
当該初回呼出セルにより前記移動端末に対する呼出を行い所定時間経過しても応答が得られないときには、前記移動端末が位置登録している一つ以上の前記移動位置指標装置のエリア半径を合計し、
前記固定位置指標装置の位置登録エリアの周囲から前記合計された値に相当する距離離れたエリアに含まれる他位置登録エリアを構成するセルを検索し、
この検索されたセルおよび前記固定位置指標装置の位置登録エリアを構成するセルを前記移動端末に対する次回呼出セルとして決定する
ことを特徴とする位置登録方法。
【請求項５】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される前記端末位置管理装置において、
前記移動端末が位置登録している前記移動位置指標装置がさらに位置登録している前記固定位置指標装置を検索する手段と、
前記移動端末が位置登録している一つ以上の前記移動位置指標装置のエリア半径を合計する手段と、
前記検索する手段により検索された前記固定位置指標装置の位置登録エリアの周囲から前記半径を合計する手段により合計された値に相当する距離離れたエリアに含まれる他位置登録エリアを構成するセルを検索する手段と、
このセルを検索する手段により検索されたセルおよび前記固定位置指標装置の位置登録エリアを構成するセルを前記移動端末に対する呼出セルとして決定する手段と
を備えたことを特徴とする端末位置管理装置。
【請求項６】
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される前記端末位置管理装置において、
前記移動端末が位置登録している前記移動位置指標装置がさらに位置登録している前記固定位置指標装置を検索する手段と、
この検索する手段により検索された前記固定位置指標装置の位置登録エリアを構成するセルを前記移動端末に対する初回呼出セルとして決定する手段と、
当該初回呼出セルにより前記移動端末に対する呼出を行い所定時間経過しても応答が得られないときには、前記移動端末が位置登録している一つ以上の前記移動位置指標装置のエリア半径を合計する手段と、
前記固定位置指標装置の位置登録エリアの周囲から前記半径を合計する手段により合計された値に相当する距離離れたエリアに含まれる他位置登録エリアを構成するセルを検索する手段と、
このセルを検索する手段により検索されたセルおよび前記固定位置指標装置の位置登録エリアを構成するセルを前記移動端末に対する次回呼出セルとして決定する手段と
を備えたことを特徴とする端末位置管理装置。
【請求項７】
情報処理装置にインストールすることにより、その情報処理装置に、
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される前記端末位置管理装置に相応する機能を実現させるプログラムにおいて、
前記移動端末が位置登録している前記移動位置指標装置がさらに位置登録している前記固定位置指標装置を検索する機能と、
前記移動端末が位置登録している一つ以上の前記移動位置指標装置のエリア半径を合計する機能と、
前記検索する機能により検索された前記固定位置指標装置の位置登録エリアの周囲から前記半径を合計する機能により合計された値に相当する距離離れたエリアに含まれる他位置登録エリアを構成するセルを検索する機能と、
このセルを検索する機能により検索されたセルおよび前記固定位置指標装置の位置登録エリアを構成するセルを前記移動端末に対する呼出セルとして決定する機能と
を実現させることを特徴とするプログラム。
【請求項８】
情報処理装置にインストールすることにより、その情報処理装置に、
通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、
周辺に位置登録エリアを形成し、無線通信によりこのエリア内にエリア公告を送出し、自身は移動することのない一つ以上の固定位置指標装置と、
周辺に位置登録エリアを形成し、無線通信によりこのエリア内にエリア公告を送出するとともに前記端末位置管理装置に対して自己が滞在している位置登録エリアを通知する一つ以上の移動位置指標装置と、
前記端末位置管理装置に対して自己が滞在している位置登録エリアを通知する一つ以上の移動端末と
を備えた移動通信システムに適用される前記端末位置管理装置に相応する機能を実現させるプログラムにおいて、
前記移動端末が位置登録している前記移動位置指標装置がさらに位置登録している前記固定位置指標装置を検索する機能と、
この検索する機能により検索された前記固定位置指標装置の位置登録エリアを構成するセルを前記移動端末に対する初回呼出セルとして決定する機能と、
当該初回呼出セルにより前記移動端末に対する呼出を行い所定時間経過しても応答が得られないときには、前記移動端末が位置登録している一つ以上の前記移動位置指標装置のエリア半径を合計する機能と、
前記固定位置指標装置の位置登録エリアの周囲から前記半径を合計する機能により合計された値に相当する距離離れたエリアに含まれる他位置登録エリアを構成するセルを検索する機能と、
このセルを検索する機能により検索されたセルおよび前記固定位置指標装置の位置登録エリアを構成するセルを前記移動端末に対する次回呼出セルとして決定する機能と
を実現させることを特徴とするプログラム。
【請求項９】
請求項７または８記載のプログラムが記録された前記情報処理装置読み取り可能な記録媒体。
【発明の詳細な説明】
【０００１】
【発明の属する技術分野】
本発明は、サービスエリアが複数の位置登録エリアに分割された移動通信方式に利用する。特に、移動位置指標装置を経済化するための改良に関する。一斉呼出に係る呼損を削減するための改良に関する。本発明は、現在位置として、移動位置指標装置を登録している移動端末について一斉呼出を行うときに、位置登録エリアの位置、形状、面積に配慮してその一斉呼出範囲を決定するための改良に関する。
【０００２】
【従来の技術】
移動電話網その他移動通信方式では、移動端末は固定的な位置指標装置から送信されているエリア公告を受信し位置登録の設定を行うとともに、移動により別のエリア公告を有効に受信する状態になると、その移動端末について位置登録の変更を行う方式が広く利用されている。一つの移動端末に一斉呼出を行う場合には、その移動端末が最後に設定した位置登録エリア全域を一斉呼出範囲とし、呼出メッセージを送信する。
【０００３】
このような移動通信方式では、電車や道路に沿って多数の移動端末が同方向に同程度の速度で移動することがある。このような場合には、多数の移動端末が同時に位置登録エリアの境界を通過することになり、位置登録のために短時間に多数の情報処理を実行することが必要となる。これはしばしば設備されている装置による処理能力を越える場合が発生する。このときには移動通信サービスの質が低下することになる。そしてこれを救済するために情報処理装置を大型化し高速化することは、移動通信サービスを提供するものにとって大きい経済的な負担となる。
【０００４】
この問題を解決するために、同方向に同程度の速度で移動する移動端末集団に移動位置指標装置を同伴させる技術が提案された。これは、集団で移動する移動端末はその移動位置指標装置が形成する位置登録エリアを登録することにより、多数の移動端末が位置登録エリアの境界を越えたときに行われる位置登録の変更設定を抑制するものである。これは、例えば特開平６−２４４７８０号公報、特開平１１−４６３８０号公報、特開平９−８４１２６号公報、特開平９−１３０８６２号公報、特開平９−３２７０５７号公報、特開平１１−２３９３７６号公報、ＷＯ９８／５９４６３号公報、特開平５−１４２７０号公報、特開平９−８４１２６号公報、井上ら「移動体通信における接続性履歴に基づく位置登録集約方式」、信学技報、ＩＮ２００１−３７，ＰＰ．５−１１，２００１年７月などに開示されている。
【０００５】
【発明が解決しようとする課題】
特開平６−２４４７８０号公報、井上ら「移動体通信における接続性履歴に基づく位置登録集約方式」、信学技報、ＩＮ２００１−３７，ＰＰ．５−１１，２００１年７月に開示されている方式では、端末位置登録装置は呼び出された移動端末が直接登録している位置指標装置の位置登録エリアを一斉呼出範囲とし、呼出メッセージを送信する。この場合には、移動位置指標装置に求められる設備および運用のためのコストが大きいため、利用できる場所は限られることになる。これに対し、一般ユーザが持つ移動端末を移動位置指標装置とし、位置登録の変更設定を抑制する方式が考えられる。しかし、この方式では、負荷および課金の観点から移動位置指標装置が他の移動端末宛の呼出メッセージやデータを中継することは難しくなる。
【０００６】
この課題を解決するために、上位階層装置群中の固定位置指標装置が配下の基地局を介して呼出メッセージやデータを中継する方式が考えられる。しかし、この方式では、移動端末の滞在地点とその移動端末が直接登録している移動位置指標装置の滞在地点は異なるため、移動端末が上位階層装置群中の固定位置指標装置の位置登録エリアから外れているときには呼出に失敗（呼損が発生）し、サービス品質が低下する。
【０００７】
本発明は、このような背景に行われたものであって、移動位置指標装置を介さず、かつ、呼損を起こさない一斉呼出を実現することができる移動通信システムおよび位置登録方法および端末位置管理装置を提供することを目的とする。本発明は、呼出トラヒックを削減することができる一斉呼出を実現することができる移動通信システムおよび位置登録方法および端末位置管理装置を提供することを目的とする。
【０００８】
【課題を解決するための手段】
本発明は、第一の発明により、移動位置指標装置を登録している移動端末を呼び出す際に、呼び出された移動端末の上位階層装置群をもとに移動端末が滞在している可能性があるエリアを計算し、呼出メッセージを送信することによって、固定位置指標装置による一斉呼出を可能とすることができる。また、第二の発明により、呼び出された移動端末が滞在する可能性のあるセルに順に呼出メッセージを送信することによって、呼出トラヒックを削減することができる。
【０００９】
ここで、上位階層装置とは、移動端末が位置登録している移動位置指標装置が当該移動端末の上位階層装置となる。また、移動端末が複数の移動位置指標装置に位置登録している場合には、これら複数の移動位置指標装置は当該移動端末の上位階層装置群となる。さらに、移動位置指標装置が位置登録している固定指標装置は当該移動位置指標装置の上位階層装置となる。また、移動端末が直接固定指標装置に位置登録している場合には、当該固定位置指標装置が当該移動端末の上位階層装置となる。
【００１０】
すなわち、本発明の第一の観点は、通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、周辺に位置登録エリアを形成し、無線通信によりこのエリア内にエリア公告を送出し、自身は移動することのない一つ以上の固定位置指標装置と、周辺に位置登録エリアを形成し、無線通信によりこのエリア内にエリア公告を送出するとともに前記端末位置管理装置に対して自己が滞在している位置登録エリアを通知する一つ以上の移動位置指標装置と、前記端末位置管理装置に対して自己が滞在している位置登録エリアを通知する一つ以上の移動端末とを備えた移動通信システムである。
【００１１】
ここで、本発明の特徴とするところは、前記端末位置管理装置は、前記移動端末が位置登録している前記移動位置指標装置がさらに位置登録している前記固定位置指標装置を検索する手段と、前記移動端末が位置登録している一つ以上の前記移動位置指標装置のエリア半径を合計する手段と、前記検索する手段により検索された前記固定位置指標装置の位置登録エリアの周囲から前記半径を合計する手段により合計された値に相当する距離離れたエリアに含まれる他位置登録エリアを構成するセルを検索する手段と、このセルを検索する手段により検索されたセルおよび前記固定位置指標装置の位置登録エリアを構成するセルを前記移動端末に対する呼出セルとして決定する手段とを備えたところにある。
【００１２】
すなわち、固定位置指標装置の位置登録エリアのエッジにある移動位置指標装置の位置登録エリアは、当該移動位置指標装置の位置登録エリアの半径分だけ固定位置指標装置の位置登録エリアよりも離れている。さらに、当該移動位置指標装置の位置登録エリアのエッジにある他の移動位置指標装置の位置登録エリアは、当該他の移動位置指標装置の位置登録エリアの半径分だけ前段の移動位置指標装置の位置登録エリアよりも離れている。
【００１３】
このように、移動端末が位置登録している一つ以上の移動位置指標装置のエリア半径を合計した値を用いることにより、当該移動端末が最も固定位置指標装置の位置登録エリアから遠い所にある場合を想定した呼出セルを決定することができる。これにより、固定位置指標装置の位置登録エリアの外に在圏する移動端末に対しても適切な呼出セルを決定することができる。
【００１４】
あるいは、本発明の特徴とするところは、前記端末位置管理装置は、前記移動端末が位置登録している前記移動位置指標装置がさらに位置登録している前記固定位置指標装置を検索する手段と、この検索する手段により検索された前記固定位置指標装置の位置登録エリアを構成するセルを前記移動端末に対する初回呼出セルとして決定する手段と、当該初回呼出セルにより前記移動端末に対する呼出を行い所定時間経過しても応答が得られないときには、前記移動端末が位置登録している一つ以上の前記移動位置指標装置のエリア半径を合計する手段と、前記固定位置指標装置の位置登録エリアの周囲から前記半径を合計する手段により合計された値に相当する距離離れたエリアに含まれる他位置登録エリアを構成するセルを検索する手段と、このセルを検索する手段により検索されたセルおよび前記固定位置指標装置の位置登録エリアを構成するセルを前記移動端末に対する次回呼出セルとして決定する手段とを備えたところにある。
【００１５】
これによれば、まず、固定位置指標装置の位置登録エリアに限って呼出セルを決定し、当該呼出セルで移動端末からの応答が得られなければ、その時点ではじめて固定位置指標装置の位置登録エリア外にも呼出セルを拡張する。したがって、当初から固定位置指標装置の位置登録エリア内にある移動端末に対しては無効となる固定位置指標装置の位置登録エリア外の呼出セルを用いる必要がなく、前者と比較して呼出トラヒックを削減することができる。
【００１６】
本発明の第二の観点は、通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、周辺に位置登録エリアを形成し、無線通信によりこのエリア内にエリア公告を送出し、自身は移動することのない一つ以上の固定位置指標装置と、周辺に位置登録エリアを形成し、無線通信によりこのエリア内にエリア公告を送出するとともに前記端末位置管理装置に対して自己が滞在している位置登録エリアを通知する一つ以上の移動位置指標装置と、前記端末位置管理装置に対して自己が滞在している位置登録エリアを通知する一つ以上の移動端末とを備えた移動通信システムに適用される位置登録方法である。
【００１７】
ここで、本発明の特徴とするところは、前記端末位置管理装置は、前記移動端末が位置登録している前記移動位置指標装置がさらに位置登録している前記固定位置指標装置を検索し、前記移動端末が位置登録している一つ以上の前記移動位置指標装置のエリア半径を合計し、前記検索された前記固定位置指標装置の位置登録エリアの周囲から前記合計された値に相当する距離離れたエリアに含まれる他位置登録エリアを構成するセルを検索し、この検索されたセルおよび前記固定位置指標装置の位置登録エリアを構成するセルを前記移動端末に対する呼出セルとして決定するところにある。
【００１８】
あるいは、本発明の特徴とするところは、前記端末位置管理装置は、前記移動端末が位置登録している前記移動位置指標装置がさらに位置登録している前記固定位置指標装置を検索し、この検索された前記固定位置指標装置の位置登録エリアを構成するセルを前記移動端末に対する初回呼出セルとして決定し、当該初回呼出セルにより前記移動端末に対する呼出を行い所定時間経過しても応答が得られないときには、前記移動端末が位置登録している一つ以上の前記移動位置指標装置のエリア半径を合計し、前記固定位置指標装置の位置登録エリアの周囲から前記合計された値に相当する距離離れたエリアに含まれる他位置登録エリアを構成するセルを検索し、この検索されたセルおよび前記固定位置指標装置の位置登録エリアを構成するセルを前記移動端末に対する次回呼出セルとして決定するところにある。
【００１９】
本発明の第三の観点は、通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、周辺に位置登録エリアを形成し、無線通信によりこのエリア内にエリア公告を送出し、自身は移動することのない一つ以上の固定位置指標装置と、周辺に位置登録エリアを形成し、無線通信によりこのエリア内にエリア公告を送出するとともに前記端末位置管理装置に対して自己が滞在している位置登録エリアを通知する一つ以上の移動位置指標装置と、前記端末位置管理装置に対して自己が滞在している位置登録エリアを通知する一つ以上の移動端末とを備えた移動通信システムに適用される前記端末位置管理装置である。
【００２０】
ここで、本発明の特徴とするところは、前記移動端末が位置登録している前記移動位置指標装置がさらに位置登録している前記固定位置指標装置を検索する手段と、前記移動端末が位置登録している一つ以上の前記移動位置指標装置のエリア半径を合計する手段と、前記検索する手段により検索された前記固定位置指標装置の位置登録エリアの周囲から前記半径を合計する手段により合計された値に相当する距離離れたエリアに含まれる他位置登録エリアを構成するセルを検索する手段と、このセルを検索する手段により検索されたセルおよび前記固定位置指標装置の位置登録エリアを構成するセルを前記移動端末に対する呼出セルとして決定する手段とを備えたところにある。
【００２１】
あるいは、本発明の特徴とするところは、前記移動端末が位置登録している前記移動位置指標装置がさらに位置登録している前記固定位置指標装置を検索する手段と、この検索する手段により検索された前記固定位置指標装置の位置登録エリアを構成するセルを前記移動端末に対する初回呼出セルとして決定する手段と、当該初回呼出セルにより前記移動端末に対する呼出を行い所定時間経過しても応答が得られないときには、前記移動端末が位置登録している一つ以上の前記移動位置指標装置のエリア半径を合計する手段と、前記固定位置指標装置の位置登録エリアの周囲から前記半径を合計する手段により合計された値に相当する距離離れたエリアに含まれる他位置登録エリアを構成するセルを検索する手段と、このセルを検索する手段により検索されたセルおよび前記固定位置指標装置の位置登録エリアを構成するセルを前記移動端末に対する次回呼出セルとして決定する手段とを備えたところにある。
【００２２】
本発明の第四の観点は、情報処理装置にインストールすることにより、その情報処理装置に、通信可能範囲を複数の位置登録エリアに分割して、移動端末の位置管理を行う際に、各移動端末が滞在している位置登録エリアに関する通知を受けて、この通知内容をデータベースとして格納する端末位置管理装置と、周辺に位置登録エリアを形成し、無線通信によりこのエリア内にエリア公告を送出し、自身は移動することのない一つ以上の固定位置指標装置と、周辺に位置登録エリアを形成し、無線通信によりこのエリア内にエリア公告を送出するとともに前記端末位置管理装置に対して自己が滞在している位置登録エリアを通知する一つ以上の移動位置指標装置と、前記端末位置管理装置に対して自己が滞在している位置登録エリアを通知する一つ以上の移動端末とを備えた移動通信システムに適用される前記端末位置管理装置に相応する機能を実現させるプログラムである。
【００２３】
ここで、本発明の特徴とするところは、前記移動端末が位置登録している前記移動位置指標装置がさらに位置登録している前記固定位置指標装置を検索する機能と、前記移動端末が位置登録している一つ以上の前記移動位置指標装置のエリア半径を合計する機能と、前記検索する機能により検索された前記固定位置指標装置の位置登録エリアの周囲から前記半径を合計する機能により合計された値に相当する距離離れたエリアに含まれる他位置登録エリアを構成するセルを検索する機能と、このセルを検索する機能により検索されたセルおよび前記固定位置指標装置の位置登録エリアを構成するセルを前記移動端末に対する呼出セルとして決定する機能とを実現させるところにある。
【００２４】
あるいは、本発明の特徴とするところは、前記移動端末が位置登録している前記移動位置指標装置がさらに位置登録している前記固定位置指標装置を検索する機能と、この検索する機能により検索された前記固定位置指標装置の位置登録エリアを構成するセルを前記移動端末に対する初回呼出セルとして決定する機能と、当該初回呼出セルにより前記移動端末に対する呼出を行い所定時間経過しても応答が得られないときには、前記移動端末が位置登録している一つ以上の前記移動位置指標装置のエリア半径を合計する機能と、前記固定位置指標装置の位置登録エリアの周囲から前記半径を合計する機能により合計された値に相当する距離離れたエリアに含まれる他位置登録エリアを構成するセルを検索する機能と、このセルを検索する機能により検索されたセルおよび前記固定位置指標装置の位置登録エリアを構成するセルを前記移動端末に対する次回呼出セルとして決定する機能とを実現させるところにある。
【００２５】
本発明の第五の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００２６】
これにより、コンピュータ装置等の情報処理装置を用いて、移動位置指標装置を介さず、かつ、呼損を起こさない一斉呼出を実現することができる。また、呼出トラヒックを削減することができる一斉呼出を実現することができる。
【００２７】
【発明の実施の形態】
本発明実施例を図１〜図５を参照して説明する。ここでは、移動通信に対応したインターネット・プロトコル（ＩＰ）であるＭｏｂｉｌｅＩＰｖ４を用い構築した移動通信システムを実施例として説明する。ＭｏｂｉｌｅＩＰｖ４に習い、端末位置管理装置をＨＡ（Ｈｏｍｅ　Ａｇｅｎｔ）、固定位置指標装置をＦＡ（Ｆｏｒｅｉｇｎ　Ａｇｅｎｔ）、移動端末をＭＮ（Ｍｏｂｉｌｅ　Ｎｏｄｅ）と呼ぶ。また、移動位置指標装置をＴＮ（Ｔｒａｎｓｐｏｒｔ　Ｎｏｄｅ）と呼ぶ。本実施例では、「ａあるいはｂ」を「ａ／ｂ」と省略して記す。また、「ａおよびｂ」を「ａ，ｂ」と記す。
【００２８】
ＨＡは、ＭＮのＩＰアドレスとそのＭＮが滞在エリアとして登録しているＦＡ／ＴＮのＩＰアドレスの組を結合表６に記録する。ＨＡは、ＴＮに関してもＭＮと同様に、ＴＮのＩＰアドレスとそのＭＮが登録しているＦＡ／ＴＮのＩＰアドレスの組を結合表６に記録する。結合表６では、ａがｂを登録していることを、ａはｂに滞在しているという意味から「ａ＠ｂ」と表す。
【００２９】
ＦＡは位置登録エリア内に滞在しているＴＮ、ＭＮに対し、エリア公告としてエージェント公告を送出する。ＴＮも同様に、位置登録エリア内に滞在しているＴＮ、ＭＮに対して直接エージェント公告を送出する。エージェント公告には、送信元ＦＡ／ＴＮのＩＰアドレスが記載される。
【００３０】
ＭＮは、ＨＡに登録しているＦＡ／ＴＮからエージェント公告を受信できなくなると、エージェント公告を受信している他のＦＡ／ＴＮの中から次に登録するＦＡ／ＴＮを選択し、ＨＡに登録する。登録は、送信元ＭＮのＩＰアドレスと、登録するＦＡ／ＴＮのＩＰアドレスを記載した位置登録要求をＨＡに送信することによって行う。ＨＡは位置登録要求を受信すると、結合表６を検索し、送信元ＭＮのエントリを更新する。ＴＮもＭＮと同様に位置登録を行う。
【００３１】
次に、ＭＮ宛パケットの転送方法を説明する。ＭｏｂｉｌｅＩＰｖ４では、ＭＮ宛のパケットはＩＰルーティングにしたがい、まずＨＡに送信される。ＨＡはＭＮ宛パケットを受信すると、そのＭＮの一斉呼出セルを計算し、計算したセル呼出メッセージを送出する。一斉呼出セルの計算方法は、後述の各実施例で述べる。呼出メッセージには、呼び出されたＭＮのＩＰアドレスを記載する。ＭＮは自分宛の呼出メッセージを受信すると、最寄りの基地局からＨＡに応答メッセージを返す。このようにして、ＨＡあるいはＦＡなどの中継装置は、呼出を受けたＭＮが滞在しているセルを特定することができ、通信経路を確立することができる。
【００３２】
本実施例では、各位置登録エリアは複数のセルによって構成されるとする。図１はＦＡ２１〜２４の４つの位置登録エリアの分布と、それぞれの位置登録エリアを構成するセルの分布をあらわしている。ＦＡは各セルに設置される基地局を介して位置登録エリア内のＴＮおよびＭＮと通信する。
【００３３】
図５は、ＴＮ３１、ＴＮ３２、ＭＮ３３が、ＦＡ２１、ＦＡ２３、ＦＡ２４の位置登録エリア境界付近を移動している様子を表している。以下、図５の状況を用いて第一および第二実施例を説明する。実施例開始時においては、ＴＮ３１は滞在エリアとしてＦＡ２１を登録しており、ＴＮ３２はＴＮ３１を、ＭＮ３３はＴＮ３２をそれぞれ登録している。このとき、ＨＡ１の結合表６は図２に示すようになっている。
【００３４】
（第一実施例）
ＨＡの機能ブロックを図２を参照して説明する。太枠のブロックは、本発明による新機能を表している。
【００３５】
ＨＡはあらかじめＴＮエリア半径データベース（ＤＢと図示）３に各ＴＮの位置登録エリア半径を記録しておく。ここで記録するエリア半径は、考えられる最大半径（天候や障害物の影響がないときの理想的な値）とする。セル分布データベース４には、各位置登録エリアの周囲に分布しているセルを記録しておく。本実施例では、図２に示すように、各位置登録エリアの周囲５００ｍ、１０００ｍに含まれるセルを記録する。図３に示すように、ＦＡ２１の周囲５００ｍにはＦＡ２２−ａ，ｂ、ＦＡ２３−ｂ、ＦＡ２４−ｂ，ｃが含まれ、周囲１０００ｍにはＦＡ２２−ａ，ｂ、ＦＡ２３−ａ，ｂ，ｄ、ＦＡ２４−ｂ，ｃが含まれており、セル分布データベース４にもそのように記録されている。また、図４に示すように、ＦＡ２２の周囲５００ｍにはＦＡ２１−ａ，ｃ、ＦＡ２３−ａ，ｂが含まれ、ＦＡ２２の周囲１０００ｍにはＦＡ２２−ａ，ｂ，ｄ、ＦＡ２３−ａ，ｂ，ｃ，ｄが含まれる。
【００３６】
ディスパッチャ８はパケット受信部９からパケットを受信すると、位置登録要求パケットであれば登録処理部７へ、ＭＮ／ＴＮ宛パケットであればパケット転送部１１へ転送する。これら以外のパケットの処理は本実施例と無関係であるため省略する。
【００３７】
まずは登録処理について説明する。登録処理部７は位置登録要求パケットを受信すると、結合表６から位置登録要求送信元ＭＮ／ＴＮのエントリを検索し、登録されている滞在エリアを位置登録要求パケットに記載されているＦＡ／ＴＮに更新する。
【００３８】
次に、パケット転送処理について説明する。上位階層装置検索部１は結合表６を検索し、宛先ＭＮ／ＴＮの上位階層装置群を取得し、呼出セル決定部２に送る。まずは宛先ＭＮ／ＴＮが滞在エリアとして登録しているＦＡ／ＴＮを検索する。ＴＮを得た場合には、ＦＡを得るまで繰り返し検索を行い、宛先ＭＮ／ＴＮの上位階層装置群を得る。例えば、図２に示す結合表６において、ＭＮ３３の上位階層装置を検索する場合を考える。まず、ＭＮ３３のエントリを検索し、ＴＮ３２を取得する。取得した装置がＴＮであるため、引き続きＴＮ３２のエントリを検索し、ＴＮ３１を得る。同様にして、ＴＮ３１のエントリを検索し、ＦＡ２１を得る。ここでＦＡを取得したため、検索が終了する。ＭＮ３３の上位装置群は、ＴＮ３２、ＴＮ３１、ＦＡ２１となる。また、上位階層装置群のうち、ＦＡを上位ＦＡ、ＴＮ群を上位ＴＮ群と呼ぶことにする。図２の例の場合は、ＭＮ３３の上位ＦＡはＦＡ２１、上位ＴＮ群はＴＮ３２、ＴＮ３１である。続いて、呼出セル決定部がＴＮエリア半径データベース３から上位ＴＮ群のエリア半径を検索し、得られた半径の合計値を求める。この合計値を合計半径とする。続いて、ＨＡはセル分布データベース４を検索し、上位ＦＡの位置登録エリアから合計半径の範囲に含まれるセルを取得する。ＨＡは、上位ＦＡの位置登録エリアを構成するセルと、そのエリアから合計半径の範囲に含まれるセルを呼出セルとして設定する。最後に、宛先ＭＮ／ＴＮのＩＰアドレスを記載した呼出メッセージを生成し、設定した呼出セルに送出する。なお、第一実施例ではタイマ５は用いない。
【００３９】
図５において、ＭＮ３３宛にパケットが送信された状況を考える。ＨＡ１がＭＮ３３宛パケットを受信すると、上位階層装置検索部１が結合表６からＭＮ３３のエントリを検索し、滞在エリアとしてＴＮ２３が登録されていることを得る。得られたノードがＴＮであったため、続けてＴＮ３２の滞在エリアを検索する。今度はＴＮ３１を取得する。同様にしてＴＮ３１の滞在エリアとして登録されているＦＡ２１を取得する。最終的に、ＨＡ１の上位階層装置検索部１は、ＭＮ３３の上位階層装置群として、ＴＮ３２、ＴＮ３１、ＦＡ２１を取得し、呼出セル決定部に送る。
【００４０】
呼出セル決定部２はＴＮエリア半径データベース３を検索し、ＭＮ３３の上位ＴＮであるＴＮ３２、ＴＮ３１のエリア半径を取得し、合計する。エリア半径はそれぞれ５００ｍであり、合計値は１０００ｍとなる。続いて、呼出セル決定部２はセル分布データベース４からＦＡ２１の位置登録エリア周辺１０００ｍの範囲に含まれるセルを検索し、ＦＡ２２−ａ，ｂ、ＦＡ２３−ａ，ｂ，ｄ、ＦＡ２４−ｂ，ｃを取得する。最後に、ＨＡ１は呼出先ＭＮ／ＴＮとしてＭＮ３３のＩＰアドレスを記載した呼出メッセージを生成し、ＦＡ２１の位置登録エリアおよびセルＦＡ２２−ａ，ｂ、ＦＡ２３−ａ，ｂ，ｄ、ＦＡ２４−ｂ，ｃに送出する。ＭＮ３３は、呼出先にＭＮ３３のＩＰアドレスが記載された呼出メッセージを受信すると、ＨＡ１に応答メッセージを返す。このようにして、ＴＮを登録しているＭＮが上位ＦＡの位置登録エリアから外れた位置に滞在している場合であっても、呼出セルを適切に設定し、呼損を回避することができる。
【００４１】
（第二実施例）
ＨＡの機能ブロックを図２を参照して説明する。ディスパッチャ８、呼出セル決定部２、タイマ５以外の動作は第一実施例と同じである。
【００４２】
ディスパッチャ８はパケット受信部９からパケットを受信すると、位置登録要求パケットであれば登録処理部７へ、ＭＮ／ＴＮ宛パケットであればパケット転送部１１へ、ＭＮ／ＴＮからの呼出応答であればタイマ５へ転送する。これら以外のパケットの処理は本実施例と無関係であるため省略する。
【００４３】
呼出セル決定部２は、上位階層装置検索部１から宛先ＭＮ／ＴＮの上位階層装置群を受け取ると、まず、上位ＦＡの位置登録エリアを構成するセルのみを呼出セルにセルし、呼出メッセージを送出する。タイマ５は、宛先ＭＮ／ＴＮからの応答が一定時間内に得られない場合には、宛先ＭＮ／ＴＮがそのＦＡの位置登録エリアから外れていると判断し、呼出セル決定部２に再呼出を指示する。すると、呼出セル決定部２は、ＴＮエリア半径データベース３から上位ＴＮ群のエリア半径を検索し、合計半径を得る。続いて、ＨＡはセル分布データベース４を検索し、上位ＦＡの位置登録エリアから合計半径の範囲に含まれるセルを取得する。ＨＡはここで得たセルを呼出セルとして設定し、呼出メッセージを送出する。
【００４４】
図５において、ＭＮ３１宛にパケットが送信された状況を考える。ＨＡ１がＭＮ３３宛パケットを受信すると、上位階層装置検索部１が結合表６からＭＮ３３のエントリを検索し、滞在エリアとしてＴＮ２３が登録されていることを得る。得られたノードがＴＮであったため、続けてＴＮ３２の滞在エリアを検索する。今度はＴＮ３１を取得する。同様にして、ＴＮ３１の滞在エリアとして登録されているＦＡ２１を取得する。最終的に、ＨＡ１の上位階層装置検索部１は、ＭＮ３３の上位階層装置群として、ＴＮ３２、ＴＮ３１、ＦＡ２１を取得し、呼出セル決定部２に送る。
【００４５】
呼出セル決定部２は上位ＦＡであるＦＡ２１の位置登録エリアを構成するセルを呼出セルに設定し、呼出メッセージを送出する。しかし、ＭＮ３３はＦＡ２１の位置登録エリアから外れているため、この呼出メッセージを受信することができない。ＨＡ１は一定時間内にＭＮ３３からの呼出応答が得られなかったため、ＴＮエリア半径データベース３を検索し、ＴＮ３２、ＴＮ３１のエリア半径を取得し、合計する。エリア半径はそれぞれ５００ｍであり、合計値は１０００ｍとなる。続いて、呼出セル決定部２はセル分布ＤＢからＦＡ２１の位置登録エリア周辺１０００ｍの範囲に含まれるセルを検索し、ＦＡ２２−ａ，ｂ、ＦＡ２３−ａ，ｂ，ｄ、ＦＡ２４−ｂ，ｃを取得する。最後に、ＨＡ１は呼出先ＭＮ／ＴＮとしてＭＮ３３のＩＰアドレスを記載した呼出メッセージを生成し、セルＦＡ２２−ａ，ｂ、ＦＡ２３−ａ，ｂ，ｄ、ＦＡ２４−ｂ，ｃに送出する。ＭＮ３３は、呼出先にＭＮ３３のＩＰアドレスが記載された呼出メッセージを受信すると、ＨＡ１に応答メッセージを返す。このようにし、ＴＮを登録しているＭＮが上位ＦＡの位置登録エリアから外れた位置に滞在している場合であっても、呼出セルを適切に設定し、呼損を回避することができる。また、呼出範囲を順に広げることで、宛先ＭＮ／ＴＮが上位ＦＡの位置登録エリアに滞在している場合の呼出トラヒックを削減することができる。
【００４６】
（第三実施例）
本発明実施例の端末位置登録装置ＨＡは、情報処理装置であるコンピュータ装置を用いて実現することができる。すなわち、コンピュータ装置にインストールすることにより、そのコンピュータ装置に、図２に示す本実施例の端末位置管理装置ＨＡに相応する機能を実現させるプログラムであって、移動端末ＭＮが位置登録している移動位置指標装置ＴＮがさらに位置登録している固定位置指標装置ＦＡを検索する上位階層装置検索部１に相応する機能と、移動端末ＭＮが位置登録している一つ以上の移動位置指標装置ＴＮのエリア半径を合計するＴＮエリア半径データベース３および呼出セル決定部２に相応する機能と、上位階層装置検索部１により検索された固定位置指標装置ＦＡの位置登録エリアの周囲から前記合計された値に相当する距離離れたエリアに含まれる他位置登録エリアを構成するセルを検索するセル分布データベース４および呼出セル決定部２に相応する機能と、この検索されたセルおよび固定位置指標装置ＦＡの位置登録エリアを構成するセルを移動端末ＭＮに対する呼出セルとして決定する呼出セル決定部２に相応する機能とを実現させるプログラムをコンピュータ装置にインストールすることにより、そのコンピュータ装置に第一実施例の端末位置管理装置ＨＡに相応する機能を実現させることができる。
【００４７】
また、コンピュータ装置にインストールすることにより、そのコンピュータ装置に、図２に示す本実施例の端末位置管理装置ＨＡに相応する機能を実現させるプログラムであって、移動端末ＭＮが位置登録している移動位置指標装置ＴＮがさらに位置登録している固定位置指標装置ＦＡを検索する上位階層装置検索部１に相応する機能と、この検索された固定位置指標装置ＦＡの位置登録エリアを構成するセルを移動端末ＭＮに対する初回呼出セルとして決定する呼出セル決定部２に相応する機能と、当該初回呼出セルにより移動端末ＭＮに対する呼出を行い所定時間経過しても応答が得られないときには、移動端末ＭＮが位置登録している一つ以上の移動位置指標装置ＴＮのエリア半径を合計するタイマ５およびＴＮエリア半径データベース３および呼出セル決定部２に相応する機能と、固定位置指標装置ＦＡの位置登録エリアの周囲から前記合計された値に相当する距離離れたエリアに含まれる他位置登録エリアを構成するセルを検索するセル分布データベース４および呼出セル決定部２に相応する機能と、この検索されたセルおよび固定位置指標装置ＦＡの位置登録エリアを構成するセルを移動端末ＭＮに対する次回呼出セルとして決定する呼出セル決定部２に相応する機能とを実現させるプログラムをコンピュータ装置にインストールすることにより、そのコンピュータ装置に第二実施例の端末位置管理装置ＨＡに相応する機能を実現させることができる。
【００４８】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００４９】
これにより、コンピュータ装置を用いて、移動位置指標装置ＴＮを介さず、かつ、呼損を起こさない一斉呼出を実現することができる。また、呼出トラヒックを削減することができる一斉呼出を実現することができる。
【００５０】
【発明の効果】
本発明により、移動位置指標装置から呼出機能を外し、装置を経済化することができる。また、本発明により、呼損によるサービス品質の低下を回避することができる。
【図面の簡単な説明】
【図１】本実施例の位置登録エリアおよびセル分布を示す図。
【図２】本実施例の端末位置管理装置の機能ブロック図。
【図３】本実施例のＦＡ２１位置登録エリアの周囲５００ｍ、１０００ｍに含まれるセルを示す図。
【図４】本実施例のＦＡ２２位置登録エリアの周囲５００ｍ、１０００ｍに含まれるセルを示す図。
【図５】本実施例で想定する移動位置指標装置と移動端末との位置関係を示す図。
【符号の説明】
１　上位階層装置検索部
２　呼出セル決定部
３　ＴＮエリア半径データベース
４　セル分布データベース
５　タイマ
６　結合表
７　登録処理部
８　ディスパッチャ
９　パケット受信部
１０　パケット送信部
１１　パケット転送部
【図１】
2004023162.tif 000003
【図２】
2004023162.tif 000004
【図３】
2004023162.tif 000005
【図４】
2004023162.tif 000006
【図５】
2004023162.tif 000007